(57)【要約】【課題】 センサ装置の取付け工程にかかる時間を大幅に減少することができるとともに、芯金が抜けやすいという問題を解消したセンサ付きシール装置およびそれを用いた転がり軸受装置を提供する。【解決手段】  固定側シール部材8の芯金51は、車体側軌道部材3に嵌合固定された円筒部54と、弾性シール53が設けられている内向きフランジ部55とを有している。センサ11は、固定側シール部材8の芯金51に樹脂モールドされている。芯金51の円筒部54の軸方向内側にある部分に突部54cが設けられることにより、芯金51の円筒部54の車体側軌道部材3内に嵌め入れられている部分のうち、軸方向内側にある部分における嵌合力が軸方向外側にある部分における嵌合力よりも高められている。【選択図】    図４
2005140188.tif 000002
【特許請求の範囲】
【請求項１】
固定部材に嵌合固定される芯金および芯金に取り付けられた弾性シールを有している固定側シール部材と、回転部材に嵌合固定される円筒部および円筒部の軸方向端部に連なって固定側シール部材に向かってのびるフランジ部を有する回転側シール部材と、固定側シール部材に設けられたセンサと、回転側シール部材に設けられた着磁体とからなり、センサと着磁体とが軸方向に対向させられているセンサ付きシール装置において、
固定側シール部材の芯金は、軸方向内側部分が固定部材に嵌合固定される円筒部と、円筒部の軸方向外側端部に連なりかつ回転側シール部材に向かってのびるフランジ部とを有し、センサは芯金に樹脂モールドされており、芯金の円筒部の固定部材内に嵌め入れられている部分のうち、軸方向内側にある部分における嵌合力が軸方向外側にある部分における嵌合力よりも高められていることを特徴とするセンサ付きシール装置。
【請求項２】
芯金の円筒部の軸方向内側端部が折り曲げられて、同端部の剛性が上げられることにより、芯金の円筒部の軸方向内側にある部分の嵌合力が高められている請求項１のセンサ付きシール装置。
【請求項３】
芯金の円筒部の軸方向内側にある部分に突部が設けられることにより、芯金の円筒部の軸方向内側にある部分の嵌合力が高められている請求項１のセンサ付きシール装置。
【請求項４】
円筒部の軸方向外側に対向する固定部材の部分が切り欠かれることにより、芯金の円筒部の軸方向内側にある部分の嵌合力が高められている請求項１のセンサ付きシール装置。
【請求項５】
固定輪、回転輪および両輪間に配置された転動体を有する転がり軸受と、固定輪に嵌合固定された芯金および芯金に取り付けられた弾性シールを有している固定側シール部材と、回転輪に嵌合固定された円筒部および円筒部の軸方向端部に連なって固定側シール部材に向かってのびるフランジ部を有する回転側シール部材と、固定側シール部材に設けられたセンサと、回転側シール部材に設けられた着磁体とからなり、センサと着磁体とが軸方向に対向させられている転がり軸受装置において、
固定側シール部材の芯金は、軸方向内側部分が固定部材に嵌合固定された円筒部と、円筒部の軸方向外側端部に連なりかつ回転側シール部材に向かってのびるフランジ部とを有し、センサは芯金に樹脂モールドされており、芯金の円筒部の固定部材内に嵌め入れられている部分のうち、軸方向内側にある部分における嵌合力が軸方向外側にある部分における嵌合力よりも高められていることを特徴とする転がり軸受装置。
【請求項６】
芯金の円筒部の軸方向内側端部が折り曲げられて、同端部の剛性が上げられることにより、芯金の円筒部の軸方向内側にある部分の嵌合力が高められている請求項５の転がり軸受装置。
【請求項７】
芯金の円筒部の軸方向内側にある部分に突部が設けられることにより、芯金の円筒部の軸方向内側にある部分の嵌合力が高められている請求項５の転がり軸受装置。
【請求項８】
円筒部の軸方向外側に対向する固定部材の部分が切り欠かれることにより、芯金の円筒部の軸方向内側にある部分の嵌合力が高められている請求項５の転がり軸受装置。
【請求項９】
固定輪が車体への取付け部を有する車体側軌道部材とされ、回転輪が車輪取付け部を有する車輪側軌道部材とされて、自動車用ハブユニットとして使用されることを特徴とする請求項５から８までのいずれか１項の転がり軸受装置。
【発明の詳細な説明】
【技術分野】
【０００１】
この発明は、シール装置およびそれを用いた転がり軸受装置に関し、特に、センサ装置を内蔵したセンサ付きシール装置およびそれを用いた転がり軸受装置に関する。
【背景技術】
【０００２】
自動車においては、その制御を行うために種々の情報が必要であることから、車輪が取り付けられる車輪側軌道部材、車体側に固定される車体側軌道部材、および両軌道部材の間に配置された二列の転動体を有するハブユニット（転がり軸受装置）にセンサ装置が設けられているが、センサ装置をコンパクトに取り付けるための一手段として、シール装置にセンサ装置を取り付けた転がり軸受装置が提案されている。
【０００３】
このような転がり軸受装置として、特許文献１には、固定輪、回転輪および両輪間に配置された転動体を有する転がり軸受と、固定輪に嵌合固定された芯金および芯金に取り付けられた弾性シールを有している固定側シール部材と、回転輪に嵌合固定された円筒部および円筒部の軸方向端部に連なって固定側シール部材に向かってのびるフランジ部を有する回転側シール部材と、固定側シール部材に設けられて回転側シール部材に摺接する弾性シールと、固定側シール部材に設けられたセンサと、回転側シール部材に設けられた着磁体とからなり、センサと着磁体とが軸方向に対向させられているものが記載されている。
【特許文献１】特開平１０−１６０７４４号公報
【発明の開示】
【発明が解決しようとする課題】
【０００４】
上記従来の転がり軸受装置では、まず、着磁体が設けられた回転側シール部材が圧入され、次いで、弾性シールが設けられた固定側シール部材が圧入され、その後に、センサが固定側シール部材に取り付けられており、圧入作業が２回必要であるとともに、センサの固定側シール部材への取付けが面倒であるため、センサ装置の取付け工程に多くの時間がかかるという問題があった。
【０００５】
そこで、センサを固定側シール部材の芯金に樹脂モールドし、センサ付き固定側シール部材と着磁体付き回転側シール部材とを予め組み立てておき、組立て後のセンサ付きシール装置の端面を適宜な治具で押すことにより、転がり軸受やハブユニットに取り付けることが考えられる。この場合、芯金と固定側部材との嵌め合いは、圧入によるものだけとなり、芯金が抜けることが懸念される。
【０００６】
この発明の目的は、センサ装置の取付け工程にかかる時間を大幅に減少することができるとともに、芯金が抜けやすいという問題を解消したセンサ付きシール装置およびそれを用いた転がり軸受装置を提供することにある。
【課題を解決するための手段】
【０００７】
この発明によるセンサ付きシール装置は、固定部材に嵌合固定される芯金および芯金に取り付けられた弾性シールを有している固定側シール部材と、回転部材に嵌合固定される円筒部および円筒部の軸方向端部に連なって固定側シール部材に向かってのびるフランジ部を有する回転側シール部材と、固定側シール部材に設けられたセンサと、回転側シール部材に設けられた着磁体とからなり、センサと着磁体とが軸方向に対向させられているセンサ付きシール装置において、固定側シール部材の芯金は、軸方向内側部分が固定部材に嵌合固定される円筒部と、円筒部の軸方向外側端部に連なりかつ回転側シール部材に向かってのびるフランジ部とを有し、センサは芯金に樹脂モールドされており、芯金の円筒部の固定部材内に嵌め入れられている部分のうち、軸方向内側にある部分における嵌合力が軸方向外側にある部分における嵌合力よりも高められていることを特徴とするものである。
【０００８】
この発明によるセンサ付きシール装置において、芯金の円筒部の軸方向内側端部が折り曲げられて、同端部の剛性が上げられることにより、芯金の円筒部の軸方向内側にある部分の嵌合力が高められていることがあり、また、芯金の円筒部の軸方向内側にある部分に突部が設けられることにより、芯金の円筒部の軸方向内側にある部分の嵌合力が高められていることがあり、さらにまた、円筒部の軸方向外側に対向する固定部材の部分が切り欠かれることにより、芯金の円筒部の軸方向内側にある部分の嵌合力が高められていることがある。
【０００９】
固定部材は、例えば、転がり軸受の外輪または内輪とされ、回転部材は、例えば、転がり軸受の内輪または外輪とされるが、これに限られるものではない。
【００１０】
芯金は、１つの剛性リングによって形成されることもあり、２つ以上の剛性リングから形成されることもある。芯金は、１つの剛性リングによって形成されるか２つ以上の剛性リングから形成されるかにかかわらず、固定部材に圧入される円筒部および弾性シールが設けられるフランジ部を少なくとも有するものとされる。
【００１１】
着磁体は、Ｎ極とＳ極とが交互に配置されて回転信号を出力するもので、回転側シール部材に直接接着されることがあり、また、環状の支持部材（着磁体支持リング）およびこれに接着された着磁体とからなるパルサリングの形で使用されることもある。センサは、例えば、磁気センサとされるが、これに限られるものではない。
【００１２】
芯金と樹脂とはインサート成形され、この際、芯金の内向きフランジ部または外向きフランジ部の少なくとも一部が樹脂内に位置させられ、これにより、芯金に対する樹脂の動きが抑えられる。
【００１３】
このセンサ付きシール装置は、すべての部材を先に組み込んでおいてから、その端面を適宜な治具で押すことにより、転がり軸受やハブユニットに取り付けられる。センサ付きシール装置は、例えば、弾性シールが取り付けられた芯金とセンサを樹脂モールドし、回転側シール部材（スリンガ）に組み込み、その後、着磁体が設けられた着磁体支持リング（パルサリング）を回転側シール部材に圧入することにより得られる。そして、転がり軸受装置への取付けは、センサ付きシール装置の回転側シール部材の軸方向外側面と樹脂端面とを適宜な治具で同時に押して、固定側シール部材および回転側シール部材を転がり軸受に圧入することにより行うことができる。このようにすると、組立性が良くかつ低コスト化が可能となり、しかも、回転側シール部材に対する着磁体支持リングの位置決めが確実に行えるので、センサと着磁体との位置決め精度が向上し、また、転がり軸受装置に対する回転側シール部材の位置決めが確実に行えるので、シールの位置を管理することが容易となり、これにより、シール性およびセンサ検知精度の両方とも良好なものにすることができる。
【００１４】
上記のセンサ付きシール装置において、芯金の円筒部の軸方向外側部分に複数の貫通孔が設けられて、センサは、そのうちの１つに挿通された状態で樹脂モールドされており、残りの貫通孔に樹脂が充填されていることが好ましい。このようにすると、センサと着磁体との間に芯金（金属部分）が介在しない構成となり、センサ検知精度をより一層向上させることができる。この場合、樹脂面と着磁体とのエアギャップは、例えば０．１ｍｍ程度とされる。そして、センサは、樹脂でカバーされているようにしてもよく、また、センサの検知面を樹脂から露出させるようにしてもよい。後者の構成とすることにより、センサの検知面と着磁体とのギャップをさらに小さくすることができ、検知精度をさらに向上させることができる。貫通孔の形状は、センサ（センサＩＣ）に対応して、方形とすることが好ましいが、樹脂モールドすることからこれに限らず、円形や楕円形であってもよい。また、センサを設置するためには、貫通孔は１カ所でよいが、貫通孔を複数として、各孔内に樹脂が充填されるようにすることにより、芯金に対する樹脂の動きが抑えられ、芯金から樹脂が抜けることが防止される。
【００１５】
この発明による転がり軸受装置は、固定輪、回転輪および両輪間に配置された転動体を有する転がり軸受と、固定輪に嵌合固定された芯金および芯金に取り付けられた弾性シールを有している固定側シール部材と、回転輪に嵌合固定された円筒部および円筒部の軸方向端部に連なって固定側シール部材に向かってのびるフランジ部を有する回転側シール部材と、固定側シール部材に設けられたセンサと、回転側シール部材に設けられた着磁体とからなり、センサと着磁体とが軸方向に対向させられている転がり軸受装置において、固定側シール部材の芯金は、軸方向内側部分が固定部材に嵌合固定された円筒部と、円筒部の軸方向外側端部に連なりかつ回転側シール部材に向かってのびるフランジ部とを有し、センサは芯金に樹脂モールドされており、芯金の円筒部の固定部材内に嵌め入れられている部分のうち、軸方向内側にある部分における嵌合力が軸方向外側にある部分における嵌合力よりも高められていることを特徴とするものである。
【００１６】
この発明による転がり軸受装置において、芯金の円筒部の軸方向内側端部が折り曲げられて、同端部の剛性が上げられることにより、芯金の円筒部の軸方向内側にある部分の嵌合力が高められていることがあり、また、芯金の円筒部の軸方向内側にある部分に突部が設けられることにより、芯金の円筒部の軸方向内側にある部分の嵌合力が高められていることがあり、さらにまた、円筒部の軸方向外側に対向する固定部材の部分が切り欠かれることにより、芯金の円筒部の軸方向内側にある部分の嵌合力が高められていることがある。
【００１７】
固定輪が外輪、回転輪が内輪とされてもよく、固定輪が内輪、回転輪が外輪とされてもよい。
【００１８】
この転がり軸受装置は、固定輪が車体への取付け部を有する車体側軌道部材とされ、回転輪が車輪取付け部を有する車輪側軌道部材とされることにより、自動車用ハブユニットとして好適に使用される。
【発明の効果】
【００１９】
この発明のセンサ付きシール装置によると、センサが固定側シール部材の芯金に樹脂モールドされているので、センサ付き固定側シール部材と着磁部付き回転側シール部材とを予め組み立てておく（パック化しておく）とともに、このセンサ付きシール装置の端面を適宜な治具で押すことにより、転がり軸受やハブユニットに取り付けることができ、センサ装置の取付け工程にかかる時間を大幅に減少することができる。また、芯金の円筒部の固定部材内に嵌め入れられている部分のうち、軸方向内側にある部分における嵌合力が軸方向外側にある部分における嵌合力よりも高められているので、芯金は、固定部材の軸方向内側部分で保持されることになり、固定部材から抜けることが防止される。
【００２０】
この発明の転がり軸受装置によると、センサが固定側シール部材の芯金に樹脂モールドされているので、センサ付き固定側シール部材と着磁部付き回転側シール部材とを予め組み立てておく（パック化しておく）とともに、このセンサ付きシール装置の端面を適宜な治具で押すことにより、センサ付きの転がり軸受装置を得ることができ、センサ装置の取付け工程にかかる時間を大幅に減少することができる。また、芯金の円筒部の固定部材内に嵌め入れられている部分のうち、軸方向内側にある部分における嵌合力が軸方向外側にある部分における嵌合力よりも高められているので、芯金は、固定部材の軸方向内側部分で保持されることになり、固定部材から抜けることが防止される。
【発明を実施するための最良の形態】
【００２１】
この発明の実施の形態を、以下図面を参照して説明する。
【００２２】
図１から図３までは、この発明のセンサ付きシール装置およびそれを用いた転がり軸受装置の第１実施形態を示している。以下の説明において、左右は図１の左右をいうものとする。なお、左が車両の内側に、右が車両の外側となっている。
【００２３】
この発明による転がり軸受装置は、ハブユニット(1)と、ハブユニット(1)の左端部にあるシール装置(7)にパルサ(10)およびセンサ(11)が一体化されたこの発明によるセンサ付きシール装置(2)とを備えている。
【００２４】
ハブユニット(1)は、車体側に固定される車体側軌道部材(3)、車輪が取り付けられる車輪側軌道部材(4)、両部材(3)(4)の間に２列に配置された複数の転動体である玉(5)、および各列の玉(5)をそれぞれ保持する保持器(6)を備えている。
【００２５】
車体側軌道部材(3)は、軸受の外輪（固定輪）機能を有しているもので、内周面に２列の外輪軌道が形成されている円筒部(12)と、円筒部(12)の左端部近くに設けられて懸架装置（車体）にボルトで取り付けられるフランジ部(13)とを有している。
【００２６】
車輪側軌道部材(4)は、第１の軌道溝(15a)を有する大径部(15)および第１の軌道溝(15a)の径よりも小さい外径を有する小径部(16)を有している中空軸(14)と、中空軸(14)の小径部(16)外径に嵌め止められて右面が中空軸(14)の大径部(15)左面に密接させられている内輪(17)とからなる。中空軸(14)の右端近くには、車輪を取り付けるための複数のボルト(19)が固定されているフランジ部(18)が設けられている。内輪(17)には、中空軸(14)の軌道溝(15a)と並列するように、軌道溝(17a)が形成されており、内輪(17)の左部に肩部(17b)が形成されている。車体側軌道部材(3)の右端部と中空軸(14)との間には、弾性シールおよび芯金からなるシール部材(20)が設けられている。
【００２７】
センサ付きシール装置(2)は、車体側軌道部材(3)に固定された固定側シール部材(8)と、車輪側軌道部材(4)に固定された回転側シール部材(9)と、固定側シール部材(8)に設けられたセンサ(11)と、回転側シール部材(9)に設けられたパルサ(10)とからなる。
【００２８】
なお、図１において、(25)は、ナックルを、(29)は、等速ジョイント（ＣＶＪ）をそれぞれ示している。ナックル(25)には、センサの配線を外部に取り出すための切欠き(26)が設けられ、コネクタピン(28)を有するコネクタ部(27)がこの切欠き(26)から外方に突出させられている。
【００２９】
以下では、図２および図３を参照して、センサ付きシール装置(2)のより詳しい説明を行う。
【００３０】
センサ付きシール装置(2)は、車体側軌道部材(3)に固定された固定側シール部材(8)と、車輪側軌道部材(4)に固定された回転側シール部材(9)と、固定側シール部材(8)に設けられたセンサ(11)と、回転側シール部材(9)に設けられたパルサ(10)とからなる。
【００３１】
固定側シール部材(8)は、車体側軌道部材(3)に嵌合固定された芯金(51)と、インサート成形により芯金(51)に一体化された樹脂部材(52)と、芯金(51)に接着されて回転側シール部材(9)に摺接する弾性シール(53)とを備えており、センサ(11)が芯金(51)に樹脂モールドされることにより、センサ(11)付き固定側シール部材(8)が得られている。
【００３２】
固定側シール部材(8)の芯金(51)は、車体側軌道部材(3)の左端部内径に右部が嵌合固定された円筒部(54)および同円筒部(54)の軸方向外側の端部（左端部）に連なる内向きフランジ部(55)からなる。弾性シール(53)は、芯金(51)の内向きフランジ部(55)の内周縁部に接着されている。
【００３３】
樹脂部材(52)は、孔あきの円盤状とされており、その周上１カ所に、コネクタ部(27)を設けるための突出部(52a)が形成されている。樹脂部材(52)の左面は、シール装置の左端面となっており、平坦面とされている。芯金(51)の内向きフランジ部(55)の軸方向内側部分にも、樹脂が充填されており、これにより、芯金(51)に対する樹脂部材(52)の動きが抑制されている。
【００３４】
回転側シール部材(9)は、スリンガと称されているもので、車輪側軌道部材(4)の内輪(17)の肩部(17b)に右部が嵌め入れられた円筒部(56)および円筒部(56)の左端部に連なる外向きフランジ部(57)からなる。外向きフランジ部(57)の外周縁部(57a)は、泥水の浸入を防止するように、軸方向内方に若干折り曲げられている。
【００３５】
パルサ(10)は、Ｎ極とＳ極とが交互に配置されて回転信号を出力するもので、回転側シール部材(9)の円筒部(56)に嵌合固定された円筒部(59)および円筒部(59)の軸方向内側端部に連なる外向きフランジ部(60)からなる着磁体支持リング(58)と、着磁体支持リング(58)の外向きフランジ部(60)の左面に設けられた着磁体(61)とからなる。回転側シール部材(9)の円筒部(56)の右端面と着磁体支持リング(58)の外向きフランジ部(60)の右面とは略面一とされている。回転側シール部材(9)に着磁体支持リング(58)が圧入されることにより、着磁体(61)付きの回転側シール部材(9)が得られている。支持リング(58)は、ＳＵＳ４３０などの磁性を有する金属製とされている。着磁体(61)は、ゴムをバインダとする磁性粉が着磁されることにより形成されている。
【００３６】
固定側シール部材(8)の芯金(51)の円筒部(54)には、図３に詳しく示すように、周方向に略等間隔で複数の断面方形の貫通孔(54a)が設けられており、センサ(11)は、その検知面がパルサ(10)の着磁体(61)に軸方向外方から対向するように、これらの孔(54a)の内の１つに挿通されて、樹脂部材(52)内に位置させられている。残りの貫通孔(54a)内には、樹脂が充填されており、これにより、芯金(51)に対する樹脂部材(52)の動きが抑制されている。着磁体(61)の左面と樹脂部材(52)の本体部分の右面との間の隙間は、両者が接触しない範囲でできるだけ小さい値（例えば０．１ｍｍ程度）とされている。図２には、センサ(11)が樹脂によってカバーされている場合を示しているが、センサ(11)が着磁体(61)に接近するように、センサ(11)の右面と樹脂部材の右面とを略面一とし、センサ(11)の検知面と着磁体(61)とのギャップをさらに小さくするようにしてもよい。なお、貫通孔(54a)の形状は特に限定されるものではなく、その数も適宜変更可能である。また、貫通孔(54a)の数は、センサ(11)を挿通させるための１つだけとしてもよい。
【００３７】
弾性シール(53)は、回転側シール部材(9)の外向きフランジ部(57)に軸方向内側から摺接する第１および第２のアキシャルリップ(62)(63)と、同円筒部(56)に径方向外側から摺接する第１および第２のラジアルリップ(64)(65)とを有している。この弾性シール(53)によって、軸受外部と軸受内部との間がシールされている。
【００３８】
上記の第１実施形態のセンサ付きシール装置(2)によると、芯金(51)と車体側軌道部材部材(3)との嵌め合いは、圧入によるものとなり、芯金(51)の円筒部(54)の車体側軌道部材(3)内に嵌め入れられている部分のうち、軸方向外側にある部分においてその嵌合力が最大となりやすい。そのため、芯金(51)が軸方向外向きに力を受けた場合、芯金(51)が抜けることが懸念される。そこで、芯金(51)の円筒部(54)の車体側軌道部材(3)内に嵌め入れられている部分のうち、軸方向内側にある部分における嵌合力が軸方向外側にある部分における嵌合力よりも高くなるようにし、芯金(51)が車体側軌道部材(3)の軸方向内側部分で保持されるようにすることが好ましい。以下では、芯金が抜けるという問題を解消したセンサ付きシール装置を示す。
【００３９】
図４は、この発明によるセンサ付きシール装置の第２実施形態を示すもので、芯金(51)の円筒部(54)の軸方向内側にある部分に環状の突部(54c)が設けられることにより、芯金(51)の円筒部(54)の軸方向内側にある部分の嵌合力が高められている。突部(54c)は、環状でなく、周方向の複数カ所に設けられてもよい。芯金(51)の円筒部(54)が嵌め合わせられている車体側軌道部材(3)の内周面は、円周面とされているが、この面に、突部(54c)が嵌め入れられる凹部を形成するようにしてもよい。この実施形態のものでは、嵌合力が最大となっている突部(54c)位置から車体側軌道部材(3)の左面までの距離が確保されるので、芯金(51)が抜けることが確実に防止される。
【００４０】
図５は、この発明によるセンサ付きシール装置の第３実施形態を示すもので、芯金(51)の円筒部(54)の軸方向外側部分に対向する車体側軌道部材(3)の部分が切り欠かれており、この切欠き部(12a)により、芯金(51)の円筒部(54)の軸方向内側にある部分の嵌合力が高められている。この実施形態のものでは、嵌合力が最大となっている位置すなわち切欠き部(12a)が設けられていない位置から車体側軌道部材(3)の左面までの距離が確保されるので、芯金(51)が抜けることが確実に防止される。
【００４１】
図６は、この発明によるセンサ付きシール装置の第４実施形態を示すもので、芯金(51)の円筒部(54)の軸方向内側端部が径方向内方に円弧状に折り曲げられることにより、この折曲げ端部(54b)の剛性が上げられて、芯金(51)の円筒部(54)の軸方向内側にある部分の嵌合力が高められている。また、組立て可能とするために、パルサ(58)の外径と折曲げ端部(54b)の内径との間に若干の隙間が設けられている。この実施形態のものでは、嵌合力が最大となっている折曲げ端部(54b)位置から車体側軌道部材(3)の左面までの距離が確保されるので、芯金(51)が抜けることが確実に防止される。
【００４２】
上記各実施形態のセンサ付きシール装置(2)は、固定側シール部材(8)と回転側シール部材(9)とを組み合わせて予め組み立てておいてから、センサ付きシール装置(2)の端面となっている樹脂部材(52)の左面および回転側シール部材(9)の外向きフランジ部(57)を適宜な治具で押すことにより、ハブユニット(1)に取り付けることができ、これにより、センサ装置の取付け工程にかかる時間を大幅に減少することができる。これらの各実施形態のものでは、治具で押す際に、樹脂部材(52)の左面だけでなく、回転側シール部材(9)の外向きフランジ部(57)を押すことができることから、回転側シール部材(9)に対する着磁体支持リング(58)したがって着磁体(61)の位置決めが確実に行えるので、センサ(11)と着磁体(61)との位置決め精度が向上し、また、ハブユニット(1)に対する回転側シール部材(9)の位置決めが確実に行えるので、シールの位置を管理することが容易となる。
【００４３】
なお、上記実施形態のハブユニット(1)は、等速ジョイントの軸部が挿入可能なように中空軸(14)にセレーションが設けられた駆動輪用として示されているが、中空軸を従動輪の回転軸に代えることにより、従動輪用とすることができることはもちろんである。また、ハブユニット(1)を例に取り説明したが、上記センサ付きシール装置(2)は、ハブユニット(1)以外の各種転がり軸受装置や相対的に回転を行う各種回転装置にも適用することができる。
【図面の簡単な説明】
【００４４】
【図１】図１は、この発明によるセンサ付きシール装置および転がり軸受装置の第１実施形態を示す縦断面図である。
【図２】図２は、センサが配置されている部分の拡大縦断面図である。
【図３】図３は、この発明によるセンサ付きシール装置および転がり軸受装置の第１実施形態で使用されている芯金の斜視図である。
【図４】図４は、この発明によるセンサ付きシール装置および転がり軸受装置の第２実施形態を示す拡大縦断面図である。
【図５】図５は、この発明によるセンサ付きシール装置および転がり軸受装置の第３実施形態を示す拡大縦断面図である。
【図６】図６は、この発明によるセンサ付きシール装置および転がり軸受装置の第４実施形態を示す拡大縦断面図である。
【符号の説明】
【００４５】
(1)         ハブユニット（転がり軸受装置）
(2)         センサ付きシール装置
(3)         車体側軌道部材（固定部材＝軸受固定輪）
(4)         車輪側軌道部材（回転部材＝軸受回転輪）
(5)         玉（転動体）
(8)         固定側シール部材
(9)         回転側シール部材
(10)        パルサ
(11)        センサ
(12a)       切欠き部
(51)        芯金
(52)        樹脂部材
(53)        弾性シール
(54)        円筒部
(54b)       折曲げ端部
(54c)       突部
(55)        内向きフランジ部
(56)        円筒部
(57)        外向きフランジ部
(61)        着磁体
【図１】
2005140188.tif 000003
【図２】
2005140188.tif 000004
【図３】
2005140188.tif 000005
【図４】
2005140188.tif 000006
【図５】
2005140188.tif 000007
【図６】
2005140188.tif 000008